【事件の表示】
　特願２００１−２７７０９２「電気光学装置及び投射型表示装置」拒絶査定不服審判事件〔平成１４年　７月　５日出願公開、特開２００２−１８９２２８〕について、次のとおり審決する。
【結　論】
　本件審判の請求は、成り立たない。
【理　由】
第１．手続の経緯
平成１３年　９月１２日　特許出願
（優先権主張　平成１２年９月２９日）
平成１５年　３月２４日　拒絶理由通知
平成１５年　６月　２日　手続補正
平成１５年　７月　８日　拒絶査定
平成１５年　８月１２日　審判請求
平成１５年　９月１１日　手続補正
　
第２．補正の却下の決定
［補正の却下の決定の結論］
　平成１５年９月１１日付の手続補正を却下する。
　
［理由］
１．補正後の発明
　平成１５年９月１１日付の手続補正（以下「本件補正」という）により特許請求の範囲の請求項１は下記のとおり補正された。
　
　　　　　　　　　　　　　　　　　　記
　
【請求項１】一対の第１及び第２基板間に電気光学物質が挟持されてなり、
　前記第１基板上における画像表示領域に、複数の画素電極と、前記画素電極に画像信号を供給するための複数のデータ線を備えており、
　前記第１基板上における前記画像表示領域の周辺に位置する周辺領域に、外部回路接続端子から画像信号が供給される複数の画像信号線と、データ線駆動回路と、前記データ線駆動回路から供給されるサンプリング回路駆動信号が供給されるサンプリング回路駆動信号線と、前記サンプリング回路駆動信号に基づいて、前記複数の画像信号線からの画像信号を対応する前記複数のデータ線に同時に供給するサンプリング回路とを備えており、
　前記第２基板上に、前記複数の画素電極に対向し、前記画像信号線及び前記サンプリング回路駆動信号線に対して対向しない対向電極を形成することを特徴とする電気光学装置。
　
　上記補正は、補正前の請求項１に係る発明の「サンプリング回路駆動信号」の供給対象が「サンプリング回路駆動信号線」であると限定するとともに、「対向電極」が対向しない対象を「複数の画素信号線の少なくとも一部」から「画素信号線及びサンプリング回路駆動信号線」と特定するものであるから、特許法第１７条の２第４項第２号の特許請求の範囲の減縮に相当する。
　そこで本件補正後の請求項１に記載された発明（以下「補正発明」という）が特許出願の際独立して特許を受けることができるものであるか（特許法第１７条の２第５項において準用する同法第１２６条第４項の規定に適合するか）について以下に検討する。
　
２．引用例の記載等
（１）周知技術
　本願の優先権主張の日より前において、
「マトリクスアレイ基板及び対向基板間に液晶層が挟持されてなり、
　前記マトリクスアレイ基板上における表示画素部に、複数の画素電極と、前記画素電極に映像信号を供給するための複数の信号線を備えており、
　前記マトリクスアレイ基板上における前記表示画素部の外周に、信号線駆動回路及び走査線駆動回路を含む周辺駆動回路が形成されており、前記信号線駆動回路は、表示制御回路接続端子から映像信号が供給されるビデオバスと、シフトレジスタと、前記シフトレジスタから供給されるシフトレジスタの出力が供給されるゲート線と、前記シフトレジスタの出力に基づいて、前記ビデオバスからの映像信号を対応する前記複数の信号線に同時に供給するアナログスイッチ群とを備えている液晶表示装置」
は、高精細映像などを表示する液晶表示装置として周知であって、例えば、特開平１１−２７１８１１号公報（以下「周知例１」という）、特開平９−８１０８７号公報（以下「周知例２」という）、特開平１０−１０５７２号公報（以下「周知例３」という）に記載されている。
　なお、原査定においてもこのような事項は周知であると記載されており、本願明細書の【従来の技術】ないし【発明が解決しようとする課題】にも、このような技術が記載されている。
　
　そこで、補正発明と周知技術との一致点及び相違点を整理するため、例えば、周知例１を参照すると、周知例１には各図とともに以下の事項が記載されている。
ア．「【０００１】【発明の属する技術分野】本発明は、液晶表示装置に係り、特に表示画素部と駆動回路部を同一基板上に一体的に形成した駆動回路内蔵型液晶表示装置に関するものである。
【０００２】【従来の技術】ガラス基板上に駆動回路を一体的に集積化した駆動回路内蔵型液晶表示装置は、構成部材の削減、液晶表示パネルへの駆動回路実装工程の簡略化等が可能で低価格化に寄与することから、その研究開発・実用化が進められている。
【０００３】このような駆動回路内蔵型液晶表示装置の一般構成は、ＴＦＴ−ＬＣＤの場合、スイッチング素子としての薄膜トランジスタを画素に対応してマトリクス状に配置したアレイ基板とカラーフィルタが形成された対向基板との間に液晶を封入し、更に両基板にそれぞれ偏光板を配置し、背面に照明用のバックライトを備えたものとなっている。マトリクスアレイ基板は、ガラス基板上にマトリクス状に形成された走査線、信号線及びその交点にスイッチ素子としての薄膜トランジスタを介して形成された液晶画素から構成される表示画素部と、この薄膜トランジスタと同一の製造工程で作製され表示画素部の外周に配置された周辺駆動回路とからなる。この周辺駆動回路は、画素に接続された薄膜トランジスタのスイッチング動作を制御する走査線駆動回路及び信号線を介して薄膜トランジスタに映像信号を供給する信号線駆動回路により構成される。
【０００４】このうち信号線駆動回路は、与えられたタイミング信号により映像信号線を選択的に信号電極に接続して映像信号を供給するためのアナログ・スイッチ群を備えており、走査線駆動回路に比べて高周波数での動作が要求される。そして、さらに、画素数を増大させたハイビジョン等の高精細、大容量表示等の要求が高まるにつれて、信号線駆動回路内部で映像信号を伝送するビデオバスラインの伝送帯域不足や、このビデオバスライン上の映像信号線をサンプリングして画素スイッチング素子に供給するアナログスイッチ群の書込み能力不足等の問題が生じている。
【０００５】そこで信号線駆動回路を複数のブロックに分割して、ブロック内のアナログスイッチのサンプリング動作を同時に行うことにより、動作周波数の低減が図られている。即ち、ビデオバスラインを複数本に分割して並列に映像信号を入力し、このビデオバスラインのそれぞれに接続配線を介して接続されたアナログスイッチを一括してサンプリング動作させることにより、ビデオバスの分割本数分だけ動作周波数を低減させることができ、アナログスイッチ群の書き込み能力不足を補うことができる。」
　
イ．「【０００６】【発明が解決しようとする課題】しかしながら、従来の駆動回路内蔵型液晶表示装置においては、前述したように映像信号を複数の映像信号線に分割して供給する場合、図１１に示すように、表示画面１上に縦方向（列方向）に沿った筋状の表示むら（筋むら）２が生じ、表示品位を低下させてしまうという問題があった。
【０００７】発明者らがその原因について検討したところ、その表示むらの生じる位置とアナログスイッチ−ビデオバス間の接続位置には強い相関があることが判明した。
【０００８】すなわち、アナログスイッチのサンプリング動作直後には、アナログスイッチに蓄積された電荷がこのアナログスイッチに接続されたビデオバスと信号線に向けて流入する。この電荷の流入によって信号線上の電位がシフトし、これに伴い液晶画素に書き込まれる信号もビデオバス上の映像信号から若干シフトする。
【０００９】表示画素部から遠い位置に配置されたビデオバスと接続されるアナログスイッチにおいては、アナログスイッチ−ビデオバス間の接続配線長が長くなるため、これに付随して接続配線抵抗も大きくなる。その結果、サンプリング動作中にアナログスイッチに蓄積された電荷はビデオバス側に流れにくくなり、信号線側に流入する割合が大きくなる。
【００１０】これに対し、表示画素部に近い位置に配置されたビデオバスと接続されるアナログスイッチにおいては、接続配線長は短く、したがって配線抵抗も小さいため、アナログスイッチに蓄積された電荷が信号線側に流入する割合は小さくなる。
【００１１】したがって、ビデオバスとの接続配線長の短いアナログスイッチに接続された信号線では、映像信号のシフト量が小さいが、接続配線長の長いアナログスイッチに接続された信号線では映像信号のシフト量が大きくなるという現象が見られる。その結果、液晶画素に印加される実効電圧値が信号線位置ごとに異なってしまい、その透過率に差が生じることとなる。
【００１２】アナログスイッチとビデオバスとの接続点配列はサンプリング回路ブロック毎の繰り返し形状であるため、液晶画素の透過率差が画面上で行方向に沿って周期的に生じた結果、列方向に現れる表示むらとして視認されることがわかった。」
　
ウ．「【００２２】図１は本発明に関連する液晶表示装置の第１の例の概略を示す構成図であり、この液晶表示装置は、信号線駆動回路２０１及び走査線駆動回路３０１がそれぞれ一体的に集積化されたマトリクスアレイ基板と、これと一定の距離だけ離隔するように対向配置された対向基板（対向電極８０１で代表させて表してある）との間に液晶層７０１が保持された基本構成を有している。
【００２３】さらに詳細に述べると、マトリクスアレイ基板には、ガラス等の透明基板上に６本ずつの群をなす複数本の信号線３１１〜３１６、３２１〜３２６・・・が縦方向に平行に配置されており、これらは同一基板上に集積化された信号線駆動回路２０１で駆動されるようになっている。信号線駆動回路２０１はスタート信号ＸＳＴと二つのクロック信号ＸＣＫ１，ＸＣＫ２が入力されたクロックド・インバータ型のシフトレジスタＳＲと、映像信号が供給されるビデオバス１０１〜１０６と、シフトレジスタＳＲの出力により制御され、ビデオバス１０１〜１０６上の映像信号を信号線に伝達するアナログスイッチ群ＳＷ１１〜ＳＷ１６，ＳＷ２１〜ＳＷ２６，．．．を有している。
【００２４】より詳細に述べると、シフトレジスタの初段の出力ＳＲ１１は、６本の信号電極３１１〜３１６に対応した６本のポリシリコンでなるゲート線１１１〜１１６に分配され、このゲート線１１１〜１１６はそれぞれアナログスイッチをなすＭＯＳトランジスタＳＷ１１〜ＳＷ１６のゲート電極をなしている。
【００２５】映像信号ＳＶ１〜ＳＶ６はこの液晶表示装置の表示の全体を制御する表示制御回路中に含まれる映像信号分割回路１００によって映像信号ＳＶが分割されたものであり、後述するように順番を変更して出力され、ビデオバス１０１〜１０６に供給されている。ＭＯＳトランジスタＳＷ１１〜ＳＷ１６の一方側端子は接続配線２１１〜２１６によってビデオバス１０１〜１０６のいずれかに接続され、ＭＯＳトランジスタＳＷ１１〜ＳＷ１６の他方側端子は信号線３１１〜３１６に接続されている。
【００２６】図１に示した第１の例では第１番目のビデオバス１０１に接続された配線２１１はゲート線１１１で制御されるトランジスタＳＷ１１に接続され、第２番目のビデオバス１０２に接続された配線２１６はゲート線１１６で制御されるトランジスタＳＷ１６に接続され、第３番目のビデオバス１０３に接続された配線２１２はゲート線１１２で制御されるトランジスタＳＷ１２に接続され、第４番目のビデオバス１０４に接続された配線２１５はゲート線１１５で制御されるトランジスタＳＷ１５に接続され、第５番目のビデオバス１０５に接続された配線２１３はゲート線１１３で制御されるトランジスタＳＷ１３に接続され、第６番目のビデオバス１０６に接続された配線２１４はゲート線１１４で制御されるトランジスタＳＷ１４に接続されている。
【００２７】一方、図４に示すように映像信号分割回路１００からビデオバス１０１〜１０６に供給される映像信号は、順にＳＶ１、ＳＶ６、ＳＶ２、ＳＶ５、ＳＶ３、ＳＶ４となっているので、シフトレジスタの出力がハイとなったときには信号線３１１〜３１６には映像信号ＳＶ１〜ＳＶ６が順次供給されることになる。
【００２８】以上説明した構成と動作はシフトレジスタＳＲの第２段出力ＳＲ２１が与えられる部分およびその先の段の出力が与えられる部分でも全く同じである。
【００２９】なお、シフトレジスタの出力と映像信号ＳＶ１〜ＳＶ６とのタイミング関係は図４のタイミングチャートに示す通りであり、シフトレジスタの出力がハイレベルとなる都度、各ビデオバスには映像信号が供給されることがわかる。
【００３０】再び、マトリクスアレイ基板の説明に戻ると、マトリクスアレイ基板にはさらに信号線と直交する横方向に画面の縦方向画素数分設けられた走査線４０１，４０２・・・が平行に配置されており、これらは同一基板上に集積化された走査線駆動回路３０１にそれぞれ接続されている。
【００３１】信号線３１１と走査線３１２との交点位置には液晶に電圧を印加するためのスイッチ素子としての薄膜トランジスタ３１３が接続されている。すなわち、走査線３１２は薄膜トランジスタ３１３の多結晶シリコンでなるゲートに接続され、信号電極３１１は薄膜トランジスタ３１３のドレインに接続され、ソースがＩＴＯ（IndiumTinOxide）よりなる透明な画素電極３１４に接続されている。
【００３２】走査線駆動回路３０１は公知のクロックド・インバータ型のシフトレジスタによって構成されており、スタート信号ＹＳＴとクロック信号ＹＣＫ１，ＹＣＫ２の入力によって駆動され、各段に対応する各走査電極４０１、４０２、・・・に順次走査信号を印加する。
【００３３】図２は図１に示した第１の例における信号線駆動回路内の配線パターンの一部を示す平面図である。
【００３４】幅Ｗの６本のビデオバス１０１〜１０６は、間隔Ｓで平行に配列されている。トランジスタＳＷ１１の一端に接続された接続配線２１１はビデオバス１０１に、トランジスタＳＷ１２の一端に接続された接続配線２１２はビデオバス１０３に、トランジスタＳＷ１３の一端に接続された接続配線２１３はビデオバス１０５に、トランジスタＳＷ１４の一端に接続された接続配線２１４はビデオバス１０６に、トランジスタＳＷ１５の一端に接続された接続配線２１５はビデオバス１０４に、トランジスタＳＷ１６の一端に接続された接続配線２１６はビデオバス１０２にそれぞれコンタクトホールを介して接続されている。ビデオバス１０１〜１０６には映像信号がＳＶ１、ＳＶ６、ＳＶ２、ＳＶ５、ＳＶ３、ＳＶ４の順に与えられるので、信号線３１１〜３１６に供給される映像信号の順は本来のＳＶ１〜ＳＶ６となっている。また、接続配線２１１〜２１６の長さの変化を見ると、隣接接続配線で２ピッチ分、すなわち（Ｗ＋２Ｓ）を超えることはない。したがって、各接続配線間で配線の交差に伴う容量の差は少ないため配線負荷の差は緩和される。」
　
エ．「【００４０】図５は本発明にかかる第１の実施の形態にかかる液晶表示装置の回路配置図である。図示しないガラス基板上には、走査線Ｙ１，Ｙ２，…及び信号線Ｘ１１，Ｘ１２，…，Ｘ２１，Ｘ２２，…が互いに直交するように配置され、その各交点部分にはＭｏＷゲートを有する多結晶シリコン薄膜トランジスタ５０１を介して液晶画素７０１が接続されている。
【００４１】走査線Ｙ１，Ｙ２，…には、走査線駆動回路３０１が接続され、この走査線駆動回路３０１から線順次に選択パルスが印加されることによって各行の薄膜トランジスタ５０１が信号線Ｘ１１，Ｘ１２，…，Ｘ２１，Ｘ２２，…上の映像信号をサンプリングして液晶画素に出力する。その結果選択された液晶画素の透過率が変化して表示がなされる。
【００４２】走査線駆動回路３０１は、前述したようにシフトレジスタにより構成され、周知のフリップフロップ回路構成を適用できる。このフリップフロップ回路は画素を駆動する薄膜トランジスタ５０１と同一工程で作製された多結晶シリコン薄膜トランジスタ回路により形成される。
【００４３】信号線Ｘ１１，Ｘ１２，…，Ｘ２１，Ｘ２２，…には、信号線駆動回路２００が接続される。この信号線駆動回路２００の基本構成は、各信号線に接続された正極性スイッチＳＷｎと負極性スイッチＳＷｐのペアからなるアナログスイッチペアと、各正極性スイッチに接続された正極性ビデオバスＳＶｎ及び各負極性スイッチに接続された負極性ビデオバスＳＶｐ、ならびに各アナログスイッチのサンプリング動作を制御するシフトレジスタＳＲ１１，ＳＲ１２…より構成される。なお、添字のｐはｐチャネルを、ｎはｎチャネルをそれぞれ示す。
【００４４】このシフトレジスタは走査線駆動回路３０１のシフトレジスタと同じく画素を駆動する薄膜トランジスタと同一工程で作製された多結晶シリコン薄膜トランジスタ回路により構成される。また、各アナログスイッチ及びビデオバス群も、同じく多結晶シリコン薄膜トランジスタ回路により構成される。即ち正極性スイッチ群ＳＷｐはｐチャネル型多結晶シリコン薄膜トランジスタにより構成され、一方負極性スイッチ群ＳＷｎはｎチャネル型多結晶シリコン薄膜トランジスタにより構成される。
【００４５】列設されたアナログスイッチ群のうち、ＳＷｎ１１〜ＳＷｎ１１２及びＳＷｐ１１〜ＳＷｐ１１２はひとつのサンプリング回路ブロックを構成し、共通のシフトレジスタ（ＳＲ１１）出力により一括に制御される。また隣接するスイッチペアにおいては、極性切換回路２０１により一方のスイッチペアで正極性のアナログスイッチがサンプリング動作するときは、他方のスイッチペアでは負極性のアナログスイッチが動作を行う。
【００４６】本実施の形態にかかる液晶表示装置においては、正極性スイッチＳＷｐと正極性ビデオバスＳＶｐとの接続点と負極性スイッチＳＷｎと負極性ビデオバスＳＶｐとの接続点が、互いに正極性ビデオバス群及び負極性ビデオバス群の境界線、すなわち、ビデオバスＳＶｐ１とＳＶｎ１との間を境にしてほぼ線対称形状をなすように配列されている。即ち一方の極性のアナログスイッチが一方の極性のビデオバス群のうち表示領域から遠いバスに接続されている場合、このスイッチとペアをなす他方の極性のアナログスイッチは、他方の極性のビデオバス群のうち表示領域に近いバスに接続される。
【００４７】換言すれば、一方のスイッチの接続配線長がブロック内でその極性のアナログスイッチ群の接続配線長の平均値より長くなる場合、他方の極性のスイッチの接続配線長はブロック内での他方の極性のアナログスイッチ群の接続配線長の平均値より同じ割合で短くなって、スイッチペアの中の接続配線長の和は全てのスイッチペアで概略等しくなる。接続配線の抵抗値は配線長に依存するため、スイッチペアの接続配線抵抗の和も全てのスイッチペアで概略等しくなる。」
　
オ．「映像信号ＳＶ１〜ＳＶ６はこの液晶表示装置の表示の全体を制御する表示制御回路中に含まれる映像信号分割回路１００によって映像信号ＳＶが分割されたものであり、後述するように順番を変更して出力され、ビデオバス１０１〜１０６に供給されている。」（段落【００２５】）という記載からみて、映像信号が表示制御回路接続端子からビデオバスに供給されることことは自明である。
　
　そうしてみれば、周知例１には、以下の事項が記載されている。
「マトリクスアレイ基板及び対向基板間に液晶層が挟持されてなり、
　前記マトリクスアレイ基板上における表示画素部に、複数の画素電極と、前記画素電極に映像信号を供給するための複数の信号線を備えており、
　前記マトリクスアレイ基板上における前記表示画素部の外周に、信号線駆動回路及び走査線駆動回路を含む周辺駆動回路が形成されており、前記信号線駆動回路は、表示制御回路接続端子から映像信号が供給されるビデオバスと、シフトレジスタと、前記シフトレジスタから供給されるシフトレジスタの出力が供給されるゲート線と、前記シフトレジスタの出力に基づいて、前記ビデオバスからの映像信号を対応する前記複数の信号線に同時に供給するアナログスイッチ群とを備えている液晶表示装置」
　
（２）引用例の記載
　本願優先権主張日前に頒布され、原査定の拒絶の理由に引用された特開平１１−５２３２８号公報（以下「引用例」という）には、各図とともに以下の事項が記載されている。
　
ア．「【０００１】【発明の属する技術分野】この発明は、アクティブマトリクス型の液晶表示装置に関する。」
　
イ．「【０００２】【従来の技術】この種のアクティブマトリクス型の液晶表示装置は、例えば図９及び図１０に示す様に構成されている。図９は、この液晶表示装置の平面図であり、図１０は、断面図である。
【０００３】これらの図から明らかな様に、基板１０１上には、表示部１０３、データ線駆動回路１０４、走査線駆動回路１０５、及び外部接続端子１０７等を形成している。この基板１０１上の表示部１０３は、後に述べる様に各信号電極及び各走査電極、各画素電極、及び各スイッチング素子（ＴＦＴ）等を含む。また、基板１０２上には、対向電極１０６を形成している。
【０００４】各基板１０１，１０２を対向配置し、これらの基板１０１，１０２間の予め定められた範囲を封止部材１０９によって封止してから、これらの基板１０１，１０２間に液晶を挟持している。各基板１０１，１０２間には、スペーサを散布して、相互の離間距離を一定に保っている。また、対向電極１０６は、各転移電極１１０を介して基板１０１に接続されている。
【０００５】図１１は、表示部１０３、データ線駆動回路１０４、及び走査線駆動回路１０５を示すブロック図である。この図１１に示す様に、表示部１０３は、各信号電極ＳＬi及び各走査電極ＧＬjを交差して配置し、各交差部位毎に、各画素ＰIXを配置してなる。走査線駆動回路１０５は、各走査電極ＧＬjを順次走査し、またデータ線駆動回路１０４は、各信号電圧を各信号電極ＳＬｉを通じて走査電極ＧＬjに沿う各画素ＰIXに与える。
【０００６】各画素ＰIXは、図１２に示す様にスイッチング素子１１１、画素容量１１２からなる。画素容量１１２は、液晶容量１１２ａ、及び必要であれば付加される補助容量１１２ｂからなる。一般に、画素の表示を安定させるために、液晶容量１１２ａに対して補助容量１１２ｂを並列に接続する。この補助容量１１２ｂは、液晶容量１１２ａやスイッチング素子１１１のリーク電流、スイッチング素子１１１のゲートとソース間の容量等の寄生容量による画素電位の変動、あるいは、液晶容量１１２ａの表示データ依存性等の影響を最小限に抑えるためのものである。
【０００７】信号電極ＳＬｉをスイッチング素子１１１を通じて液晶容量１１２ａ並びに補助容量１１２ｂの一方の電極に接続し、液晶容量１１２ａの他方の電極を対向電極１０６に接続すると共に、補助容量１１２ｂの他方の電極を全画素に共通の共通電極線、又は隣接する走査電極に接続している。また、走査電極ＧＬjをスイッチング素子１１１のゲートに接続している。
【０００８】走査線駆動回路１０５は、各制御信号ＣＫＧ，ＳＰＧ，ＧＰＳを入力すると共に、各選択電圧ＶＧＨ，ＶＧＬを入力しており、各制御信号に応答して、各選択電圧を各走査電極ＧＬjに選択的に加えることによって、各走査電極ＧＬjを順次アクティブにし、走査電極ＧＬjに沿う各画素ＰIXのスイッチング素子１１１をオンにする。また、データ線駆動回路１０４は、画像データＤＡＴ、及び各制御信号ＣＫＳ，ＳＰＳを入力すると共に、各信号電圧ＶＳＨ，ＶＳＬを入力しており、画像データ及び各制御信号に応答して、各信号電極ＳＬｉ毎に、各信号電圧のいずれかを送出する。これらの信号電圧は、各信号電極ＳＬｉから各画素ＰIXのスイッチング素子１１１を通じて該各画素ＰIXの画素容量１１２に与えられ、これらの画素容量１１２に書き込まれる。そして、走査電極ＧＬjを非アクティブにすると、これらの画素容量１１２が遮断状態となり、これらの画素容量１１２による表示が維持される。この様な動作を各走査電極ＧＬjの度に繰り返すことによって１画面の表示がなされる。
【０００９】【発明が解決しようとする課題】ところで、図９及び図１０に示す液晶表示装置においては、表示部１０３が封止部材１０９によって囲まれるものの、データ線駆動回路１０４及び走査線駆動回路１０５が封止部材１０９によって囲まれる範囲の外側にはみ出しているばかりでなく、これらの回路１０４，１０５が基板１０２の外側に露出して外気に接している。この様にデータ線駆動回路１０４及び走査線駆動回路１０５がむき出しになっている場合、この液晶表示装置の組立工程に際しては、装置の扱いに細心の注意を払う必要があった。
【００１０】また、封止部材１０９の付近では、液晶の配向状態が正常でないため、封止部材１０９から表示部１０３を離間させる必要があった。あるいは、封止部材１０９は、水分の侵入を防止する役目を果たすので、その幅を十分に広くする必要があった。この様な理由から、封止部材１０９が介在する表示部１０３とデータ線駆動回路１０４及び走査線駆動回路１０５間を広げる必要があり、この結果として基板面積の増大を招いた。」
　
ウ．「【００１１】この様な問題を解決するために、例えば特開平６−１８６５７８号の「液晶表示装置」では、封止部材を駆動回路の外側に配置して、この封止部材によって、表示部ばかりでなく、駆動回路をも囲んでしまうと言う技術が提案されている。
【００１２】しかしながら、この構造においては、駆動回路と対向電極間にも、液晶が介在しており、これらの間には、直流電圧が常に印加されるので、液晶が分極を起こして劣化してしまった。この液晶の劣化は、表示領域の表示むらの原因となる。また、時間の経過に伴い、分極した液晶によって電界の回り込みが生じ、劣化が促進された。
【００１３】また、特開平６−２８９４１３号の「液晶表示装置」では、ゴミ等による駆動回路と対向基板間の短絡を防止するために、駆動回路に対向する部位で、対向電極を部分的に削除すると言う技術が開示されている。この場合、駆動回路と対向電極間の液晶に直流電圧が印加されずに済むので、液晶の劣化を招くことがない。しかしながら、絶縁性を考慮して、遮光膜の材質を選択していないので、対向電極を削除した部位では、遮光膜を対向電極に接近させることはできても、対向電極と遮光膜を相互に重畳することができず、また仮に重畳させれば、遮光膜を通じて短絡不良を発生する可能性があるので、対向電極の周縁近傍で光り漏れを生じる。これを防ぐには、例えば対向電極を表示部よりも十分に大きくして、対向電極周縁の光り漏れの影響を表示部に受けない様にするしかなく、結局は基板面積の増大を招いた。」
　
エ．「【００１５】【課題を解決するための手段】上記課題を解決するために、この発明は、一対の基板を対向配置し、これらの基板間の予め定められた範囲を第１封止部材によって封止して、これらの基板間に液晶を挟持しており、一方の基板上に対向電極を形成し、他方の基板上に各画素を配列すると共に、これらの画素を駆動する駆動回路を形成した液晶表示装置において、対向電極を駆動回路に重なる部位を除いて形成すると共に、この駆動回路に重なる部位に絶縁性の非透過膜を形成し、この絶縁性の非透過膜と対向電極を部分的に重ねている。
【００１６】この様な構成によれば、対向電極を駆動回路に重なる部位を除いて形成しているので、駆動回路と対向電極間の液晶に直流電圧が印加されずに済み、液晶の劣化を招くことがない。また、駆動回路に重なる部位に絶縁性の非透過膜を形成し、この絶縁性の非透過膜と対向電極を部分的に重ねているので、対向電極周縁の光り漏れを防止することができる。このため、対向電極を大きくすることによって、光り漏れの影響を回避する必要がなく、基板を大きくする必要もない。この様に光り漏れを効果的に防止することができれば、光り漏れによる駆動回路の誤動作を発生することがなく、高品質の液晶表示装置を提供することができる。」
　
オ．「【００２８】【発明の実施の形態】以下、この発明の実施形態を添付図面を参照して説明する。
　図１及び図２は、この発明の液晶表示装置の第１実施形態を示している。図１は、この液晶表示装置の平面図であり、図２は、図１のＡ−Ａ’に沿って破断して示す断面図である。
【００２９】これらの図から明らかな様に、基板１１上には、表示部１３、データ線駆動回路１４、走査線駆動回路１５、及び外部接続端子１７等を形成している。この基板１１上の表示部１３は、図９及び図１０に示す表示部１０３と同様に、図１１もしくは図１２に示す様な各信号電極、各走査電極、各画素容量、及び各スイッチング素子（ＴＦＴ）等を含む。また、基板１２上には、対向電極１６を形成している。
【００３０】各基板１１，１２を対向配置し、これらの基板１１，１２間の予め定められた範囲を封止部材１９によって封止してから、これらの基板１１，１２間に液晶を挟持している。また、対向電極１６は、各転移電極２１を介して基板１１に接続される。
【００３１】封止部材１９は、表示部１３だけでなく、データ線駆動回路１４及び走査線駆動回路１５をも囲む様に配置されている。また、対向電極１６は、開口部分１６ａを有しており、この開口部分１６ａでは、この対向電極１６が存在しない。この開口部分１６ａは、データ線駆動回路１４及び走査線駆動回路１５に重なる。
【００３２】非透過膜２２は、遮光性及び絶縁性を有している。この非透過膜２２は、開口部分１６ａを覆い、この非透過膜２２の縁と対向電極１６の縁を相互に重畳させている。
【００３３】対向電極１６には、透明導電膜を適用する。例えば、ＩＴＯ（酸化インジュウムスズ）、あるいは他の材料を適用することができる。この対向電極１６には、図示しない配向膜、カラーフィルタ、偏光板等を重ねることがある。
【００３４】非透過膜２２には、例えばポリイミド膜等の有機膜を染料等によって着色して非透過性にしたものを適用することができる。あるいは、遮光性及び絶縁性を有していれば、どのような材質でも非透過膜２２に適用することができる。また、基板１２上に、対向電極１６を形成してから、非透過膜２２を形成しているが、これらの形成の順序を逆にしても構わない。
【００３５】ここでは、データ線駆動回路１４及び走査線駆動回路１５の範囲は、実際の回路部分だけでなく、外部からの電源ライン等をも含む。要するに、対向電極１６に対して直流電圧が発生する範囲を示唆している。
【００３６】この様なデータ線駆動回路１４及び走査線駆動回路１５に重畳する開口部分１６ａには、対向電極１６が存在しない。このため、データ線駆動回路１４及び走査線駆動回路１５に直流電圧を印加したとしても、データ線駆動回路１４及び走査線駆動回路１５と対向電極１６間の液晶には、直流電圧が印加されることがなく、液晶の分極による液晶の劣化を生じることはない。また、データ線駆動回路１４並びに走査線駆動回路１５と対向電極１６間の寄生容量が無く、この寄生容量に伴う消費電力の増加も起こらない。
【００３７】更に、データ線駆動回路１４及び走査線駆動回路１５に重畳する開口部分１６ａを非透過膜２２によって覆い、この非透過膜２２の縁と対向電極１６の縁を相互に重畳している。このため、データ線駆動回路１４及び走査線駆動回路１５に対する遮光を十分に行うことができ、光り漏れによって、これらの駆動回路１４，１５内の各スイッチング素子（ＴＦＴ）の誤動作や消費電力の増加を防止することができる。また、非透過膜２２は、絶縁性を有するものであるから、各駆動回路１４，１５との間の寄生容量が無く、この寄生容量に伴う消費電力の増加も起こらない。
【００３８】また、この非透過膜２２は、表示部１３の周囲に配置されているので、この表示部１３に対する光り漏れを防ぐ役目を果たし、表示むら等の防止に役立つ。
【００３９】図３に示す様に、各駆動回路１４，１５に対する開口部分１６ａのはみ出し距離ｄdは、各駆動回路１４，１５と基板１２（非透過膜２２の表面）間の距離ｄd’よりも大きくするのが好ましい。これによって、各駆動回路１４，１５から発生される横方向の電界による液晶の劣化を防止することができる。
【００４０】また、表示部１３から開口部分１６ａまでの距離ｄpは、表示部１３と基板１２（対向電極１６の表面）間の距離ｄp’よりも大きくするのが好ましい。この距離ｄpは、表示部１３に対する対向電極１６のはみ出し距離でもある。この表示部１３に対する対向電極１６のはみ出しによって、表示部１３と対向電極１６間には、この表示部１３の中央から端部に至るまで、略均一の電界及び同等の画質を得ることができ、基板規模を大きくすることなく、均一な表示が得られる。しかも、非透過膜２２は、部分的に対向電極１６と重なることによって、表示部１３の端部に達することができるので、先にも述べた様にこの表示部１３に対する光り漏れを防ぐ役目を果たし、表示むらを相乗的に防止する。
【００４１】この様に対向電極１６を各駆動回路１４，１５に重なる部位を除いて形成しているので、各駆動回路１４，１５と対向電極１６間の液晶に直流電圧が印加されずに済み、液晶の劣化を招くことがない。また、各駆動回路１４，１５に重なる部位に絶縁性の非透過膜２２形成し、この絶縁性の非透過膜２２と対向電極１６を部分的に重ねているので、対向電極１６周縁の光り漏れを防止することができる。このため、対向電極１６を大きくすることによって、光り漏れの影響を回避する必要がなく、基板を大きくする必要もない。この様に光り漏れを効果的に防止することができれば、光り漏れを原因とする各駆動回路１４，１５の誤動作を発生することがなく、高品質の液晶表示装置を提供することができる。更には、各駆動回路１４，１５を液晶によって覆うので、この液晶が緩衝材となり、これらの駆動回路１４，１５を不要な応力や衝撃から保護することができる。
【００４２】なお、非透過膜２２は、基板１２側に設ける代わりに、図４に示す様に基板１１側に設け、各駆動回路１４，１５を被覆しても構わない。
【００４３】また、表示部１３の各スイッチング素子（ＴＦＴ）及び各駆動回路１４，１５の各スイッチング素子（ＴＦＴ）は、同一基板１１上に形成された非晶質シリコン薄膜、多結晶シリコン薄膜、及び単結晶シリコン薄膜から形成しても構わない。この場合は、回路規模縮小等によるコストの低減を図ることができる。」
　
カ．摘記事項ア．ないしオ．とともに、図１ないし４、図１１、図１２からは、「基板１１上における表示部の周辺に位置する領域に、データ線駆動回路を備えている」構成、及び、「基板１２上に、複数の画素電極に対向し、データ線駆動回路に対して対向しない対向電極を形成した」構成が見てとれる。
　
　そうしてみれば、引用例には、以下の発明が記載されている（以下「引用発明」という）。
　
「基板１１及び基板１２間に液晶が挟持されてなり、
　前記基板１１上における表示部に、複数の画素電極と、前記画素電極に信号電圧を与えるための複数の信号電極を備えており、
　前記基板１１上における表示部の周辺に位置する領域に、データ線駆動回路及び走査線駆動回路を含む駆動回路を備えており、
　基板１２上に、複数の画素電極に対向し、駆動回路に対して対向しない対向電極を形成した、液晶表示装置。」
　
３．対比
　そこで、補正発明と、周知例１の周知技術を比較すると、周知技術の「マトリクスアレイ基板」「対向基板」「液晶層」「表示画素部」「画素電極」「映像信号」「信号線」「外周」「表示制御回路接続端子」「ビデオバス」「シフトレジスタ」「シフトレジスタの出力」「ゲート線」及び「アナログスイッチ群」は、それぞれ、補正発明の「第１基板」「第２基板」「電気光学物質」「画像表示領域」「画素電極」「画像信号」「データ線」「周辺に位置する周辺領域」「外部回路接続端子」「複数の画像信号線」「データ線駆動回路」「サンプリング回路駆動信号」「サンプリング回路駆動信号線」及び「サンプリング回路」に相当する。
　したがって、補正発明と、周知例１の周知技術とは、
「一対の第１及び第２基板間に電気光学物質が挟持されてなり、
　前記第１基板上における画像表示領域に、複数の画素電極と、前記画素電極に画像信号を供給するための複数のデータ線を備えており、
　前記第１基板上における前記画像表示領域の周辺に位置する周辺領域に、外部回路接続端子から画像信号が供給される複数の画像信号線と、データ線駆動回路と、前記データ線駆動回路から供給されるサンプリング回路駆動信号が供給されるサンプリング回路駆動信号線と、前記サンプリング回路駆動信号に基づいて、前記複数の画像信号線からの画像信号を対応する前記複数のデータ線に同時に供給するサンプリング回路とを備えた、電気光学装置。」
　の点で一致し、以下の点で相違する。
　
（相違点）
　補正発明は「前記第２基板上に、前記複数の画素電極に対向し、前記画像信号線及び前記サンプリング回路駆動信号線に対して対向しない対向電極を形成する」構成を有するのに対して、周知例１に例示されているような周知技術は、「前記第２基板上に、前記複数の画素電極に対向」する「対向電極を形成する」構成は自明であるとしても、「前記画像信号線及び前記サンプリング回路駆動信号線に対して対向しない対向電極を形成する」構成を有するとは限らない点。
　
４．判断
　引用例には、本願発明と類似の作用効果を奏する技術が記載されていることは上記のとおりであるが、引用例の技術を周知のマトリクス基板に適用しようとした場合に、周辺駆動回路の配置態様としては以下のものがある。
（１）周辺駆動回路の全てを封止部の外側に配置したもの。
（２）周辺駆動回路の全て又は一部を封止部の内側に配置したもの。
　
　ここで、周辺駆動回路の全てを封止部の外側に配置したものについては、引用例の図１０を見れば明らかなとおり、「前記第２基板上に、前記複数の画素電極に対向し、前記画像信号線及び前記サンプリング回路駆動信号線に対して対向しない対向電極を形成する」構成となり、補正発明は、このような態様を包含するから、補正発明は、引用発明を単に周知技術に適用したにすぎないものとなる。
　
　次に、周辺駆動回路の全て又は一部を封止部の内側に配置したものについて検討すると、以下のとおりである。
　まず始めに、周知例１に例示されているような周知技術と引用発明はともに、アクティブマトリクス型液晶表示装置に関するものであり、しかも、表示部と駆動回路を、ＴＦＴにより同一基板上に形成して、コスト低減を図る技術に関するものという点において、産業上の利用分野が共通している。
　そうしてみれば、周知例１に記載されているような周知技術において周辺駆動回路の全て又は一部を封止部の内側に配置する際に、「ゴミ等による駆動回路と対向基板間の短絡を防止する」（段落【００１３】）、「駆動回路と対向電極間の液晶に直流電圧が印加されずに済み、液晶の劣化を招くことがない」（段落【００１６】）、「データ線駆動回路１４並びに走査線駆動回路１５と対向電極１６間の寄生容量が無く、この寄生容量に伴う消費電力の増加も起こらない」（段落【００３６】）といった引用例に記載された効果を奏するように、引用発明の「基板１２上に、複数の画素電極に対向し、データ線駆動回路に対して対向しない対向電極を形成した」構成を周知技術に適用し、補正発明の構成とすることは、当業者が容易になし得ることである。
　
　したがって、補正発明は、引用例に記載された発明及び周知技術に基づいて当業者が容易に発明をすることができたものであるから、特許法第２９条第２項の規定により特許出願の際独立して特許を受けることができないものである。
　
　なお審判請求人は、補正後の審判請求書において以下のとおり主張している。
「引例５（当審注：引用例に相当）は、データ線駆動回路及び走査線駆動回路に重なる領域に対向電極が存在しない開口部分を有する対向電極が示されている。そして、この開口部分に非透過膜が形成されている。
　これにより、データ線駆動回路及び走査線駆動回路と対向電極間の寄生容量が無く、開口分からの光漏れを防止することが開示されている。
・・・引例１乃至７を組み合わせると、引例１、２、４に示されるように、画素内における走査線及びデータ線に対向する領域に対向電極を設けない、もしくは引例３、５、６に示されるように駆動回路やシールに対向する領域に対向電極を設けないという構成に他ならない。
　すなわち、引例からでは、本願の「外部回路接続端子から画像信号が供給される複数の画像信号線と、データ線駆動回路から供給されるサンプリング回路駆動信号が供給されるサンプリング回路駆動信号線に対して対向しない対向電極を形成する」点は容易に想到し得るものでない。
　引例の構成からでは、対向電極が走査線やデータ線との寄生容量が生じたり、駆動回路の誤動作を防止するに過ぎず、中間色（灰色）の表示の中に黒色を表示させた時に、黒色に隣接する領域に発生するゴーストを低減することはできない。
　本願請求項は、このゴーストの発生を低減することを目的とし、外部回路接続端子から画像信号が供給される複数の画像信号線と、データ線駆動回路から供給されるサンプリング回路駆動信号が供給されるサンプリング回路駆動信号線に対して、対向電極は対向しないようにしたものである。
　このように、引例は、本願の課題及び構成を示唆するものでないので、当業者であっても容易に発明ができたものでない。」
　
　これに対する当審の判断は以下のとおりである。
　まず第１に、審判請求人は、引用例について、駆動回路に対向する領域に対向電極を設けない構成が記載されていると認めつつも、「引例からでは、本願の「外部回路接続端子から画像信号が供給される複数の画像信号線と、データ線駆動回路から供給されるサンプリング回路駆動信号が供給されるサンプリング回路駆動信号線に対して対向しない対向電極を形成する」点は容易に想到し得るものでない」と主張している。
　しかしながら、周知例１ないし３に記載されているとおり、画像信号線やサンプリング駆動信号線は駆動回路の一部をなすものであるから、画像信号線やサンプリング駆動信号線に対向する領域に対向電極を設けない構成とすることは、引用発明及び周知技術に基づいて当業者が容易に想到しうるものである。
　第２に、審判請求人は、引用例は、ゴーストの発生という補正発明の目的課題を示唆しないと主張しており、確かに引用例には補正発明の目的課題と同じ記載はない。
　しかしながら、このような目的課題は、駆動回路の一部を封止部の内側に配置するとともにインピーダンスが不十分な対向電極の構成として初めて発生するものであるにもかかわらず、補正発明は、このような事項を前提としない発明、例えば、駆動回路の全てが封止部の外側にあって、そもそも対向電極との間の寄生容量によるゴーストの発生が問題とならない構成をも包含しているから、このような主張は特許請求の範囲の記載に基いた主張とはいえない。また、第１基板側の配線と対向電極との間の寄生容量により種々の問題が発生することは、引用例の記載のみならず、原査定の拒絶の理由に引用された特開平２−２２３９２７号公報、特開平８−１８４８５７号公報、特開平１１−１０１９８５号公報、特開平６−２８９４１３号公報に記載され、周知といえる。そうしてみれば、仮に補正発明と同じ目的課題を起因としなくても、引用発明の「基板１２上に、複数の画素電極に対向し、駆動回路に対して対向しない対向電極を形成した」構成を周知技術のマトリクス基板に適用した場合に、結果的に補正発明の解決課題を含んだものを発明することは、当業者ならば容易にできることといえる。
　
　したがって、審判請求人の主張は採用できない。
　
５．補正の却下の決定の結び
　本件補正は、特許法等の一部を改正する法律（平成15年法第律47号）附則第２条第７項の規定によりなお従前の例によるものとされた同法第１条の規定による改正前の特許法第１７条の２第５項において準用する同法第１２６条第４項の規定に違反するので、特許法第１５９条第１項において読み替えて準用する同法第５３条第１項の規定により却下すべきものである。
　
　
第３．本願発明
１．本願発明
　平成１５年９月１１日付の手続補正は上記「第２．補正の却下の決定」のとおり却下されたので、本願の請求項に係る発明は、平成１５年６月２日付け手続補正書により補正された明細書及び図面の記載からみて、その特許請求の範囲の請求項１ないし６に記載された事項により特定されるとおりのものと認められるところ、その請求項１に係る発明は下記のものである（以下「本願発明」という）。
　
　　　　　　　　　　　　　　　　　　記
　
【請求項１】一対の第１及び第２基板間に電気光学物質が挟持されてなり、
　前記第１基板上における画像表示領域に、複数の画素電極と、前記画素電極に画像信号を供給するための複数のデータ線を備えており、
　前記第１基板上における前記画像表示領域の周辺に位置する周辺領域に、外部回路接続端子から画像信号が供給される複数の画像信号線と、データ線駆動回路と、前記データ線駆動回路から供給されるサンプリング回路駆動信号に基づいて、前記複数の画像信号線からの画像信号を対応する前記複数のデータ線に同時に供給するサンプリング回路とを備えており、
　前記第２基板上に、前記複数の画素電極に対向し、前記複数の画像信号線の少なくとも一部に対して対向しない対向電極を形成することを特徴とする電気光学装置。
　
２．引用例の記載等
　引用例及びその記載等は、上記「第２．補正の却下の決定」の「２．引用例の記載等」に記載したとおりである。
　
３．対比及び判断
　本願発明は「第２．補正の却下の決定」で検討した補正発明から、「サンプリング回路駆動信号」の供給対象が「サンプリング回路駆動信号線」であるとの事項を省くとともに、「対向電極」が対向しない対象を「前記画像信号線及び前記サンプリング回路駆動信号線」から「複数の画素信号線の少なくとも一部」に、要件緩和するものである。
　そうすると、本願発明の特定事項を全て含み、さらに他の事項を付加したものに相当する補正発明が、「第２．補正の却下の決定」に記載したとおり引用例に記載された発明及び周知技術に基づいて当業者が容易に発明をすることができたものであるから、本願発明も、同様の理由により引用例及び周知技術に基づいて当業者が容易に発明することができたものである。
　
４．むすび
　以上のとおり、本願発明は引用例に記載された発明及び周知技術に基づいて当業者が容易に発明をすることができたものであるから、特許法第２９条第２項の規定により特許を受けることができない。
　よって結論のとおり審決する。